(57)【要約】【課題】オプション部に設けられた電源部を効率的に利用することが可能な画像形成装置を提供する。【解決手段】電源コードＣＳ１と接続されるメインＤＣ／ＤＣコンバータ８２が設けられる。また、定着部４０との間の電源供給の経路を制御するスイッチ部４５がさらに設けられている。定着部４０には、負荷Ｒ３，Ｒ４，Ｒ５が設けられており、各負荷は互いに並列に電源ノードと接続されている。そして、負荷Ｒ５と、電源ノードＮ０，Ｎ１との間にはリレー回路ＲＳがさらに設けられている。また、電源コードＣＳ２と接続されるサブＤＣ／ＤＣコンバータ８４が設けられる。また、電源ノードＮ６，Ｎ７は、リレー回路ＲＳを介して負荷Ｒ５と接続されている。リレー回路ＲＳに対する指示に従って、負荷Ｒ５は、電源ノードＮ０，Ｎ１あるいは電源ノードＮ６，Ｎ７と電気的に結合される。【選択図】図４
2012047935.tif 000002
【特許請求の範囲】
【請求項１】
交流電源と接続される電源コードを有し、所定の電圧を生成する電源部と、
前記電源部からの電圧の供給を受けて複数の稼動部を有する本体部を制御するための制御部と、
前記複数の稼動部のうちの１つである定着部と、
前記定着部と前記電源部との間の電圧供給の経路を制御するスイッチ部と、
前記本体部と連結可能なオプション部と、
前記オプション部に対応して設けられ、前記電源コードと別の電源コードを有し、所定の電圧を生成して前記オプション部に供給するオプション電源部とを備え、
前記スイッチ部は、前記電源部と前記定着部の一部との間の電圧供給の経路を前記オプション電源部と前記定着部の一部との間の電圧供給の経路に切り替えることが可能なリレー回路を有し、
前記制御部は、前記本体部の使用状況に従って前記電源部に流れる電流が定格電流を超えるような場合に、前記オプション部が前記本体部と連結されていると判断した場合には、前記リレー回路に前記電源部と前記定着部の一部との間の電圧供給の経路を前記オプション電源部と前記定着部の一部との間の電圧供給の経路に切り替えるように指示する、画像形成装置。
【請求項２】
前記定着部は、複数本のヒータを有し、
前記制御部は、前記リレー回路に前記複数本のヒータのうちの１本のヒータについて、前記電源部からの電圧供給の経路を前記オプション電源部からの電圧供給の経路に切り替えるように指示する、請求項１記載の画像形成装置。
【請求項３】
前記１本のヒータは、ウォームアップヒータに相当する、請求項２記載の画像形成装置。
【請求項４】
前記定着部は、複数本のヒータを有し、
前記制御部は、前記本体部の使用状況に従って前記電源部に流れる電流が定格電流を越えるような場合に、前記オプション部が前記本体部と連結されていないと判断した場合には、前記スイッチ部に指示して前記複数本のヒータに選択的に電圧を供給する、請求項１〜３のいずれかに記載の画像形成装置。
【発明の詳細な説明】
【技術分野】
【０００１】
この発明は、電源装置を備えた画像形成装置に関する。
【背景技術】
【０００２】
近年、電子写真プロセスを利用した画像形成装置（例えば、複写機、プリンタ、ファクシミリおよびこれらを組み合わせた複合機など）の印字速度の高速化への要求の高まりに伴って、画像形成装置に装着される定着ヒータのワット数やモータのワット数が増大し、画像形成装置の消費電力が増加する傾向にある。
【０００３】
また、画像形成装置においては、カラー化や高精度化が行われてきている。このようなカラー化や高精度化の要素が加わると、高圧負荷やモータ負荷が増大し、消費電力がさらに増加する。特に、画像形成装置でも複写機の消費電力は大きく、特にデジタル複写機をベースとし、様々な画像処理機能およびドキュメント処理機能を追加した複合機は、大電力を消費する。
【０００４】
ところで、画像形成装置の電源である交流（以下、ＡＣともいう）電源は、コンセントの電流定格による規制があって、この定格電流以下で使うことが必要である。
【０００５】
日本国内の一般的なオフィスでは通常使用できる電力は１５００Ｗが最大であることから、一般的な１００ＶのコンセントからＡＣ電源入力を１本の電源コードでとる場合、電流は１５Ａ以内に制限される。
【０００６】
特許文献１においては、スキャナと定着ヒータとを駆動させた場合に１５Ａを越えることから、１５Ａ以下に収める方式が提案されている。
【０００７】
また、特許文献２においては、通常用いられる１００Ｖ用電源コードを複数本備えて、電源コードを選択的に切り替えて電源供給する方式が提案されている。
【先行技術文献】
【特許文献】
【０００８】
【特許文献１】特開２０００−５６６１５号公報
【特許文献２】特開２００８−７０５６０号公報
【発明の概要】
【発明が解決しようとする課題】
【０００９】
一方で、近年においては、画像形成装置の主要機能を本体部に搭載し、例えば、フィニッシャー、ステープル処理等を実行する後処理装置等を本体部のオプションとして設ける場合がある。当該場合において、オプション側の後処理装置に対する電源供給は、オプション側に設けられた独立の電源コードから行われる場合が一般的である。
【００１０】
特許文献１に示される方式では、電源コードは１つであるため負荷が重い場合には生産性を落として電源供給する必要がある。また、特許文献２に示される方式では、電源コードが複数本予め設けられているため電源供給の配分が複雑となり構成が複雑化する問題がある。
【００１１】
本発明は、上記のような問題を解決するためになされたものであって、オプション部に設けられた電源部を効率的に利用することが可能な画像形成装置を提供することを目的とする。
【課題を解決するための手段】
【００１２】
本発明のある局面に従う画像形成装置は、交流電源と接続される電源コードを有し、所定の電圧を生成する電源部と、電源部からの電圧の供給を受けて複数の稼動部を有する本体部を制御するための制御部と、複数の稼動部のうちの１つである定着部と、定着部と電源部との間の電圧供給の経路を制御するスイッチ部と、本体部と連結可能なオプション部と、オプション部に対応して設けられ、電源コードと別の電源コードを有し、所定の電圧を生成してオプション部に供給するオプション電源部とを備える。スイッチ部は、電源部と定着部の一部との間の電圧供給の経路をオプション電源部と定着部の一部との間の電圧供給の経路に切り替えることが可能なリレー回路を有する。制御部は、本体部の使用状況に従って電源部に流れる電流が定格電流を超えるような場合に、オプション部が本体部と連結されていると判断した場合には、リレー回路に電源部と定着部の一部との間の電圧供給の経路をオプション電源部と定着部の一部との間の電圧供給の経路に切り替えるように指示する。
【００１３】
好ましくは、定着部は、複数本のヒータを有し、制御部は、リレー回路に複数本のヒータのうちの１本のヒータについて、電源部からの電圧供給の経路をオプション電源部からの電圧供給の経路に切り替えるように指示する。
【００１４】
特に、１本のヒータは、ウォームアップヒータに相当する。
好ましくは、定着部は、複数本のヒータを有し、制御部は、本体部の使用状況に従って電源部に流れる電流が定格電流を越えるような場合に、オプション部が本体部と連結されていないと判断した場合には、スイッチ部に指示して複数本のヒータに選択的に電圧を供給する。
【発明の効果】
【００１５】
本発明のある局面に従う画像形成装置は、制御部は、本体部の使用状況に従って電源部に流れる電流が定格電流を超えるような場合に、オプション部が本体部と連結されていると判断した場合には、リレー回路に電源部と定着部の一部との間の電圧供給の経路をオプション電源部と定着部の一部との間の電圧供給の経路に切り替えるように指示する。したがって、定格電流を越える場合には、定着部の一部には、オプション電源部から電圧供給することによりオプション部に設けられた電源部を効率的に利用することが可能となる。
【図面の簡単な説明】
【００１６】
【図１】本発明の実施の形態に従う画像形成装置の構成を説明する図である。
【図２】本発明の実施の形態に従う画像形成装置１００の概略ブロック図である。
【図３】本発明の実施の形態に従う操作パネル２００について説明する図である。
【図４】本発明の実施の形態に従う電源部８０およびサブ電源部９０の回路構成を説明する図である。
【図５】本発明の実施の形態に従うウォームアップ時の電源制御の流れについて説明するフロー図である。
【図６】本発明の実施の形態に従うトータル電流値の演算処理について説明するフロー図である。
【図７】本発明の実施の形態に従うウォームアップの消費電力を説明する図である。
【発明を実施するための形態】
【００１７】
以下に、図面を参照しつつ、本発明の実施の形態について説明する。以下の説明では、同一の部品および構成要素には同一の符号を付してある。それらの名称および機能も同じである。
【００１８】
図１は、本発明の実施の形態に従う画像形成装置の構成を説明する図である。
図１を参照して、画像形成装置１００は複写機を構成し、複数の稼動部で構成される。具体的には、画像形成装置１００は、原稿を搬送する原稿搬送部２０と、搬送された原稿を画像データとして読取る画像読取部２６と、読取った画像データに基づいて画像を形成する画像形成部１０と、記録用紙を給紙する給紙部１５，１６と、記録用紙に転写された画像を定着させるための定着部４０と、記録用紙に対する後処理を実行するための後処理部３０とを含む。なお、一例として、画像形成装置１００における本体部は、原稿を搬送する原稿搬送部２０と、搬送された原稿を画像データとして読取る画像読取部２６と、読取った画像データに基づいて画像を形成する画像形成部１０と、記録用紙を給紙する給紙部１５，１６と、記録用紙に転写された画像を定着させるための定着部４０とで構成される。そして、画像形成装置１００の本体部のオプション部として、本体部と連結可能な後処理部３０が設けられるものとする。
【００１９】
なお、本例においては、一例として、本体部に交流電源と接続可能な電源コードが設けられるとともに、後処理部３０においても独立に電源コードが設けられているものとする。
【００２０】
また、画像形成装置１００内には、全体を制御する制御部、指示等を入力するための入力部等が設けられる。また、画像形成装置１００内には機内の温度を冷却するための機内用ファン３００も設けられる。
【００２１】
原稿搬送部（自動原稿搬送装置）２０の原稿台２１上に載置された原稿は、搬送ローラ２２等により搬送されて画像読取部２６により読取られて、排紙トレイ２３に排出される。
【００２２】
また、画像読取部２６のＣＣＤ２４は、例えば原稿搬送部２０で搬送された原稿を読取った画像データを取得する。そして、制御部に出力する。
【００２３】
画像形成部１０は、像担持体である感光体、帯電部、露光装置、現像装置、転写ローラ等を有し、搬送される記録用紙Ｐに画像を形成して画像面が未定着である記録済みの記録用紙Ｐを定着部４０へ出力する。なお、本例においては図示されていないが４つの現像装置が設けられており、イエロー、マゼンタ、シアン、ブラックのそれぞれの色を用いてカラープリントが可能であるものとする。
【００２４】
定着部４０は、未定着である記録済みの記録用紙Ｐに対して定着処理を実行する。定着部４０には、ファン３１０と、定着ローラ３１２と、定着ローラ３１２内に設けられたヒータ３１４とが設けられている。なお、後述するが本例においては定着部４０におけるヒータ３１４と、センターヒータ、サイドヒータ、ウォームアップヒータの３本のヒータが設けられているものとする。
【００２５】
定着部４０から必要に応じて、オプション部として設けられている後処理部３０に排出されて、後処理部３０において、パンチング、ステープル処理等の後処理が実行される。
【００２６】
給紙部１５，１６は、記録用紙Ｐを画像形成部１０に給紙する。
給紙部１５には、複数のサイズの異なる記録用紙が収納されたカセット１３２，１４２，１５２が設けられる。カセット１３２，１４２，１５２にそれぞれ対応して、ピックアップローラ１３１，１４１，１５１が設けられ、カセットから記録用紙を画像形成部１０に搬送する。また、給紙部１６からもピックアップローラ１６１を介して画像形成部１０に搬送される。なお、給紙部１５，１６から画像形成部１０に１枚ずつ記録用紙が搬送される。
【００２７】
図２は、本発明の実施の形態に従う画像形成装置１００の概略ブロック図である。
図２を参照して、ここでは、画像形成装置１００の全体を制御する制御部５０と、後処理を実行するための後処理部３０と、記録用紙を給紙する給紙部１５，１６と、操作パネル等を含む入力部６０と、画像を形成するための画像形成部１０と、メモリ７０と、画像読取部２６と、原稿搬送部２０と、定着部４０と、各部に必要な電力を供給するための電源部８０とが設けられる。また、本例においては、オプション部である後処理部３０が本体部に装着され、後処理部３０に電力を供給するためのサブ電源部９０から後処理部３０に必要な電力が供給される場合が示されている。なお、ここでは、電源部８０から制御部５０に電力が供給される場合が示されているが、制御部５０に限られず、定着部４０等の各部に供給される。
【００２８】
制御部５０は、例えば、ＣＰＵ（Central Processing unit）で構成され、メモリ７０に格納された種々のアプリケーションプログラムを読み込んで、各部を制御する。
【００２９】
図３は、本発明の実施の形態に従う操作パネル２００について説明する図である。
図３を参照して、操作パネル２００は、表示部２１２と、１０キー２０２と、スタートボタン２１０とを含む。
【００３０】
表示部２１２上にはタッチパネルが設けられており、表示部２１２上において所定の操作が可能である。
【００３１】
１０キー２０２は、コピー等の枚数を入力するためのボタンである。スタートボタン２１０は、コピー／スキャン等の処理の実行を指示するボタンである。
【００３２】
また、表示部２１２には、各種モードの表示やその他の表示が行われる、そして、タッチパネルによって、表示内容に従った各種設定を行うことができる。例えば、表示部２１２には、通常は、コピー動作やスキャン動作を実行する際に行う基本的／応用的な設定のためのボタンが配置されている。各ボタンを押下すると、その詳細設定を行うための階層画面が表示される。
【００３３】
図４は、本発明の実施の形態に従う電源部８０およびサブ電源部９０の回路構成を説明する図である。
【００３４】
図４を参照して、本発明の実施の形態に従う電源部８０は、本体部の各部に対する電源供給を実行するためのメインＤＣ／ＤＣコンバータ８２を含む。
【００３５】
メインＤＣ／ＤＣコンバータ８２について説明する。
電源コードＣＳ１は交流電源と接続され、電源コードＣＳ１の正極側の電源ラインは、ノードＮ０と電気的に結合される。また、電源コードＣＳ１の負極側の電源ラインは、電源ノードＮ１と電気的に結合される。
【００３６】
ノードＮ０とノードＮ１との間には、図示しないが４つのダイオードでブリッジ接続された整流回路Ｂ１が設けられる。整流回路Ｂ１の出力ノードであるノードＮ２とノードＮ３とから出力される整流電圧を平滑コンデンサＣ１で平滑する。そして、平滑コンデンサＣ１は、スイッチＳＷ１を介するトランスＴ１の一次巻線Ｌ１と並列に接続される。２次側の構成として、トランスＴ１の二次巻線Ｌ２は、整流ダイオードＤ１を介して電源ノードＮ４と電源ノードＮ５との間において、平滑コンデンサＣ２と並列に接続される。そして、電源ノードＮ４と電源ノードＮ５との間に負荷Ｒ１が設けられる。例えば、制御部５０の負荷Ｒ１が接続されている場合が示されている。なお、制御部５０の負荷以外に、他の各部の負荷も電源ノードＮ４と電源ノードＮ５と接続されて必要な電圧が供給される。スイッチＳＷ１は、図示しないスイッチング制御部によりオンオフ制御（ＰＷＭ制御）され、この動作によりトランスＴ１をスイッチング制御し、各部に供給される出力電圧が所定電圧となるように制御される。
【００３７】
また、定着部４０と電源部８０との間の電源供給の経路を制御するスイッチ部４５がさらに設けられている。
【００３８】
ここで、定着部４０には、上述したようにヒータ３１４を構成するセンターヒータ、サイドヒータ、ウォームアップヒータのそれぞれの負荷Ｒ３，Ｒ４，Ｒ５が設けられており、各負荷は互いに並列に電源ノードと接続されており、例えば、負荷Ｒ３は、スイッチＳＷ２を介して電源ノードＮ０，Ｎ１との間で直列に接続されている。同様に、負荷Ｒ４は、スイッチＳＷ３を介して電源ノードＮ０，Ｎ１との間で直列に接続されている。また、負荷Ｒ５は、スイッチＳＷ４を介して電源ノードＮ０，Ｎ１との間で直列に接続されている。
【００３９】
そして、負荷Ｒ５と、電源ノードＮ０，Ｎ１との間にはリレー回路ＲＳがさらに設けられている。これらのスイッチＳＷ２〜ＳＷ２およびリレー回路ＲＳは、制御部５０からの指示に従って動作するものとする。
【００４０】
次に、サブ電源部９０について説明する。サブ電源部９０は、オプション部である後処理部３０に対する電源供給を実行するためのサブＤＣ／ＤＣコンバータ８４を含む。
【００４１】
サブＤＣ／ＤＣコンバータ８４について説明する。
電源コードＣＳ２は、交流電源と接続され、電源コードＣＳ２の正極側の電源ラインは、ノードＮ６と電気的に結合される。また、電源コードＣＳ２の負極側の電源ラインは、電源ノードＮ７と電気的に結合される。
【００４２】
ノードＮ６とノードＮ７との間には、図示しないが４つのダイオードでブリッジ接続された整流回路Ｂ２が設けられる。整流回路Ｂ２の出力ノードであるノードＮ８とノードＮ９とから出力される整流電圧を平滑コンデンサＣ３で平滑する。そして、平滑コンデンサＣ３は、スイッチＳＷ５を介するトランスＴ２の一次巻線Ｌ３と並列に接続される。２次側の構成として、トランスＴ１の二次巻線Ｌ４は、整流ダイオードＤ２を介して電源ノードＮ１０と電源ノードＮ１１との間において、平滑コンデンサＣ４と並列に接続される。そして、電源ノードＮ１０と電源ノードＮ１１との間に負荷Ｒ２が設けられる。例えば、後処理部３０の負荷Ｒ２が接続されている場合が示されている。スイッチＳＷ５は、図示しないスイッチング制御部によりオンオフ制御（ＰＷＭ制御）され、この動作によりトランスＴ２をスイッチング制御し、後処理部３０に供給される出力電圧が所定電圧となるように制御される。
【００４３】
また、電源ノードＮ６，Ｎ７は、リレー回路ＲＳを介して負荷Ｒ５と接続されている。本例においては、リレー回路ＲＳに対する指示に従って、負荷Ｒ５は、電源ノードＮ０，Ｎ１あるいは電源ノードＮ６，Ｎ７と電気的に結合される。
【００４４】
図５は、本発明の実施の形態に従うウォームアップ時の電源制御の流れについて説明するフロー図である。当該処理は、本例においては、制御部５０で行うものとする。
【００４５】
図５を参照して、まず、トータル電流値を演算する（ステップＳ２）。具体的には、画像形成装置１００での電源供給の際の消費電流の値を算出する。その詳細については後述する。
【００４６】
次に、計算した電流値が電源コードの定格電流である１５Ａ以上であるかどうかを判断する（ステップＳ４）
そして、次に、電流値が１５Ａ以上であると判断した場合（ステップＳ４においてＹＥＳ）には、オプション部からの給電が可能であるかどうかを判断する（ステップＳ６）。具体的には、制御部５０は、装着可能なオプション部である後処理部３０が本体部に装着されたか否かを判断し、装着されたと判断した場合には、オプション部からの給電が可能であると判断する。
【００４７】
ステップＳ６において、オプション部からの給電が可能であると判断した場合（ステップＳ６においてＹＥＳ）には、リレー回路を切り替える（ステップＳ８）。具体的には、リレー回路ＲＳに指示して、電源ノードＮ６，Ｎ７と負荷Ｒ５が電気的に結合されるように設定する。すなわち、負荷Ｒ５に対する電源供給は、オプション側のサブ電源部９０から行われることになる。
【００４８】
そして、２本＋オプションウォームアップを実行する（ステップＳ１０）。具体的には、スイッチＳＷ２〜ＳＷ４をオンしてセンターヒータ（負荷Ｒ３）、サイドヒータ（負荷Ｒ４）、ウォームアップヒータ（Ｒ５）に電圧を供給して定着部４０の定着ローラが所定の温度となるように制御する。
【００４９】
そして、定着ローラが所定の温度となった場合にウォームアップを完了する。
次に、ステップＳ４において、計算した電流値が１５Ａ未満である場合（ステップＳ４においてＮＯ）には、３本ウォームアップを実行する（ステップＳ１２）。具体的には、スイッチＳＷ２〜ＳＷ４をオンしてセンターヒータ（負荷Ｒ３）、サイドヒータ（負荷Ｒ４）、ウォームアップヒータ（Ｒ５）に電圧を供給して定着部４０の定着ローラが所定の温度となるように制御する。
【００５０】
次に、ウォームアップが完了したかどうかを判断する（ステップＳ１３）。具体的には、定着ローラが所定の温度となったかどうかを判断する。ステップＳ１３において、ウォームアップが完了したと判断した場合（ステップＳ１３においてＹＥＳ）すなわち、定着ローラが所定の温度となったと判断した場合には、ウォームアップを完了する。
【００５１】
一方、ステップＳ１３においてウォームアップが完了していないと判断した場合（ステップＳ１３においてＮＯ）には、再び、ステップＳ２に戻り、同様の処理を繰り返す。
【００５２】
次に、ステップＳ６において、オプション部からの給電が可能でないと判断した場合（ステップＳ６においてＮＯ）には、２本ウォームアップを実行する（ステップＳ１４）。具体的には、スイッチＳＷ２，ＳＷ３をオンしてセンターヒータ（負荷Ｒ３）、サイドヒータ（負荷Ｒ４）に電圧を供給して定着部４０の定着ローラが所定の温度となるように制御する。
【００５３】
次に、ウォームアップが完了したかどうかを判断する（ステップＳ１６）。具体的には、定着ローラが所定の温度となったかどうかを判断する。ステップＳ１６において、ウォームアップが完了したと判断した場合（ステップＳ１６においてＹＥＳ）すなわち、定着ローラが所定の温度となったと判断した場合には、ウォームアップを完了する。
【００５４】
一方、ステップＳ１６において、ウォームアップが完了していない場合（ステップＳ１６においてＮＯ）すなわち、定着ローラが所定の温度に達していないと判断した場合には、ステップＳ２に戻り、同様の処理を繰り返す。
【００５５】
図６は、本発明の実施の形態に従うトータル電流値の演算処理について説明するフロー図である。当該処理は、本例においては、制御部５０で行うものとする。
【００５６】
図６を参照して、まず、電流値カウンタを１４．５にセットする（ステップＳ３０）。
次に、給紙部が動作中であるかどうかを判断する（ステップＳ３２）。具体的には、給紙部１６が動作中であるかどうかを判断する。給紙部１６は、大容量の給紙が可能であり、給紙の枚数に応じた位置調整が行われる。当該位置調整中である場合には動作中であると判断される。
【００５７】
ステップＳ３２において、給紙部が動作中であると判断した場合（ステップＳ３２においてＹＥＳ）には、電流値カウンタに１を加算する（ステップＳ３４）。
【００５８】
ステップＳ３２において、給紙部が動作中でないと判断した場合（ステップＳ３２においてＮＯ）には、ステップＳ３６に進む。
【００５９】
ステップＳ３６において、ファン動作中かどうかを判断する（ステップＳ３６）。具体的には、機内用ファン３００が動作中であるかどうかを判断する。機内用ファン３００は、機内の温度を冷却するために設けられており、センサに従って動作する。温度が上がり過ぎているような場合には、機内用ファン３００が駆動するためファン動作中であると判断される。
【００６０】
ステップＳ３６において、ファンが動作中であると判断した場合（ステップＳ３６においてＹＥＳ）には、電流値カウンタに１を加算する（ステップＳ３８）。
【００６１】
ステップＳ３６において、ファンが動作中でないと判断した場合（ステップＳ３６においてＮＯ）には、ステップＳ４０に進む。
【００６２】
ステップＳ４０において、原稿搬送部が動作中であるどうかを判断する（ステップＳ４０）。具体的には、原稿搬送部２０が動作中であるかどうかを判断する。ウォーミングアップ中であっても原稿の読取を可能とすることによりユーザの利便性を高めることが可能である。したがって、原稿台２１に原稿を載置して、スタートボタン２１０を押下した場合に原稿搬送部２０が駆動され、原稿は、搬送ローラ２２等により搬送される。したがって、搬送ローラ２２等が駆動している場合には、動作中であると判断される。
【００６３】
ステップＳ４０において、原稿搬送部が動作中であると判断した場合（ステップＳ４０においてＹＥＳ）には、電流値カウンタに２を加算する（ステップＳ４２）。
【００６４】
ステップＳ４０において、原稿搬送部が動作中でないと判断した場合（ステップＳ４０においてＮＯ）には、ステップＳ４４に進む。
【００６５】
ステップＳ４４において、画像読取部が動作中であるかどうかを判断する（ステップＳ４４）。具体的には、画像読取部２６が動作中であるかどうかを判断する。ウォーミングアップ中であっても原稿の読取を可能とすることによりユーザの利便性を高めることが可能である。したがって、例えば、ＣＣＤ２４等により原稿読取昼である場合には、動作昼であると判断される。
【００６６】
ステップＳ４４において、画像読取部が動作中であると判断した場合（ステップＳ４４においてＹＥＳ）には、電流値カウンタに１を加算する（ステップＳ４６）。そして、演算を終了する（リターン）。
【００６７】
ステップＳ４４において、画像読取部が動作中でないと判断した場合（ステップＳ４４においてＮＯ）には、演算を終了する（リターン）。
【００６８】
当該処理に従って、演算した結果が１５Ａ以上となる場合には、電源コードの定格電流を越えることになるためオプション部からの給電が不可能である場合には、２本ウォームアップが実行されることになる。
【００６９】
そして、当該処理を繰り返すことにより、例えば、上記の各部の動作が終了した場合には、演算した電流値の値が変化するため１５Ａ未満と判断された場合には、３本ウォームアップを実行することによりショートウォームアップを実現することが可能である。
【００７０】
図７は、本発明の実施の形態に従うウォームアップの消費電力を説明する図である。
図７（Ａ）を参照して、ここで示されるように、オプション部からの電源供給がある場合には、ウォームアップヒータにおける電流（４．２Ａ）は、オプション部から供給されるため、電源部８０には、定格電流に達するまでに余裕が十分にあり、例えば、ウォームアップ時に原稿搬送部あるいは画像読取部における動作と、ファンあるいは給紙部における動作を並行して実行することが可能であり、ユーザの利便性を高めるとともに、ウォームアップヒータを用いたショートウォームアップを実現することが可能となる。
【００７１】
一方、図７（Ｂ）を参照して、ここで示されるように、オプション部からの電源供給が無い場合には、ウォームアップヒータは、消灯して２本のセンターヒータとサイドヒータとを用いて定着ローラを加熱することが可能である。そして、ウォームアップヒータを用いないことにより、原稿搬送部あるいは画像読取部における動作と、ファンあるいは給紙部における動作を並行して実行することが可能であり、ユーザの利便性を高めることが可能となる。そして、当該動作が終了した後は、再び、ウォームアップヒータを点灯させてウォームアップ時間を短縮することが可能となる。
【００７２】
なお、ここでは、原稿搬送部あるいは画像読取部の動作を並行して実行する場合について説明したが、定格電流１５Ａを越えない範囲であれば両方の動作を実行するようにしても良い。
【００７３】
この点で、センターヒータ、サイドヒータ、制御部の消費電流の合計は、１０．３Ａであるため定格電流１５Ａに達するまでには、残り４．７Ａがある。したがって、トータル電流値演算の際に、電流値を加算する際、４．７Ａ以上加算しないのであれば、原稿搬送部等の動作を並行して実行することが可能であり、例えば、２本ウォームアップあるいは、２本＋オプションウォームアップの実行の際に、並行して他の原稿搬送部等の処理の組み合わせが可能かどうかの判断として当該演算を用いるようにすることも可能である。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７５】
１０  画像形成部、１５，１６  給紙部、２０  原稿搬送部、２１  原稿台、２２  搬送ローラ、２３  排紙トレイ、２６  画像読取部、３０  後処理部、４０  定着部、４５  スイッチ部、５０  制御部、６０  入力部、７０  メモリ、８０  電源部、８２  メインＤＣ／ＤＣコンバータ、８４  サブＤＣ／ＤＣコンバータ、９０  サブ電源部、１００  画像形成装置。
【図１】
2012047935.tif 000003
【図２】
2012047935.tif 000004
【図３】
2012047935.tif 000005
【図４】
2012047935.tif 000006
【図５】
2012047935.tif 000007
【図６】
2012047935.tif 000008
【図７】
2012047935.tif 000009